(57)【要約】【課題】焼却炉から排出される排ガスの量が変化する場合でも、その変化に追従して排ガスを処理でき、しかもその排ガスに含まれているダイオキシン類の分解効率を向上する。【解決手段】焼却炉１から排出される排ガスの圧力を調節する排ガス圧力制御ダンパ２が、燃焼器４の上流側に設けられる。燃焼器４でその排ガスが再燃焼され、ダイオキシン類が分解される。燃焼器４から排出された排ガスは、高温煙道５内で滞留され、残留しているダイオキシン類が更に分解される。排熱ボイラ７は、高温煙道５から排出される排ガスを急冷する。送風機８の下流側に排気ダンパ１０が設けられる。制御装置１３は、焼却炉１から排出される排ガスの圧力に応じて排ガス圧力制御ダンパ２の開度を制御し、その開度及び排熱ボイラ７から排出される排ガスの圧力に応じて排気ダンパ１０の開度を制御する。【選択図】　図１
2004085107.tif 000002
【特許請求の範囲】
【請求項１】
焼却炉から排出される排ガスが供給される燃焼器と、前記燃焼器から排出される排ガスを滞留させる高温煙道と、前記高温煙道から排出される前記排ガスの温度を低下させる排熱ボイラと、前記排熱ボイラから前記排ガスを吸引する送風機とを備えたごみ焼却炉排ガス処理装置であって、
前記燃焼器の上流側に設けられ、前記焼却炉から排出される前記排ガスの圧力を調節する第１ダンパと、前記送風機の下流側に設けられた第２ダンパと、前記第１ダンパ及び前記第２ダンパの開度を制御する制御装置とを備えたことを特徴とするごみ焼却炉排ガス処理装置。
【請求項２】
前記制御装置は、前記焼却炉から排出される前記排ガスの圧力が第１設定圧力より増加した場合には前記第１ダンパの開度を増加し、その排ガス圧力が前記第１設定圧力より減少した場合には前記第１ダンパの開度を減少する請求項１記載のごみ焼却炉排ガス処理装置。
【請求項３】
前記制御装置は、前記排熱ボイラから排出される排ガスの圧力が第２設定圧力より低い場合に前記第２ダンパの開度を減少させ、前記排熱ボイラから排出される排ガスの圧力が前記第２設定圧力よりも大きな第３設定圧力よりも大きいときに前記第２ダンパの開度の増大を許容する請求項２記載のごみ焼却炉排ガス処理装置。
【請求項４】
前記制御装置は、前記第１ダンパの開度が第１設定開度以上の場合に前記第２ダンパの開度を増大させ、前記第１ダンパの開度が前記第１設定開度よりも小さい第２設定開度以下の場合に前記第２ダンパの開度を減少させる請求項３記載のごみ焼却炉排ガス処理装置。
【請求項５】
前記制御装置は、前記第３設定圧力よりも大きな第４設定圧力以上になったときに前記第２ダンパの開度を増加させる請求項３または請求項４記載のごみ焼却炉排ガス処理装置。
【発明の詳細な説明】
【０００１】
【発明の属する技術分野】
本発明は、ごみ焼却炉排ガス処理装置に係り、特に、既設のごみ焼却炉に適用するのに好適なごみ焼却炉排ガス処理装置に関する。
【０００２】
【従来の技術】
ごみ焼却炉の排ガスを再燃焼させ、ダイオキシン類を低減させるごみ焼却炉排ガス処理装置の一例が、特開平１１−３０１１０号公報に記載されている。このごみ焼却装置は、ダイオキシン類を低減させるのに好適な高温煙道を備えている。
【０００３】
【発明が解決しようとする課題】
上記の公開公報は、ごみ焼却炉排ガス処理装置における排ガス処理に関する具体的な運用方法について触れていない。
【０００４】
焼却炉から排出される排ガス量は、焼却炉の起動過程及び停止過程において著しく変化し、また、その定常運転中においても焼却ごみの質及び量により大きく変化する。これは、ごみ焼却炉の運転においては焼却炉の最大排ガス量以下の範囲で、焼却炉内の圧力を設定負圧に維持するために、ごみ焼却装置の排ガス通路に設けられた吸引用の送風機の回転数、あるいはその送風機の出入り口ダンパの開度を変化させることに起因する。即ち、焼却炉内圧力が設定負圧よりも正圧側となった場合には、送風機の回転数或いはその出入り口ダンパの開度を増加させ、送風機の容量の範囲内において排出する排ガス量を増加させて焼却炉内圧力を低下させる。逆に、焼却炉内圧力が設定負圧よりも負圧側となった場合には、送風機の回転数或いはその出入り口ダンパの開度を減少させ、送風機の容量の範囲内において排出する排ガス量を減少させて焼却炉内圧力を上昇させる。このような送風機の回転数或いはその出入り口ダンパの開度の増減が繰り返される。
【０００５】
上記の如く、ごみ焼却炉から発生する排ガス量は連続的に増減する。
【０００６】
尚、ごみ焼却炉内を設定負圧に維持するのは、焼却炉内からの火炎及び排ガスの噴出を防止すると共に設備が高負圧に曝されることを防止するためである。
【０００７】
本発明の目的は、焼却炉排ガス量の増減に対し安定的に追従し、ダイオキシン類の分解除去効率を向上できるごみ焼却炉排ガス処理装置を提供する。
【０００８】
【課題を解決するための手段】
上記した目的を達成する本発明の特徴は、燃焼器の上流側に設けられ、焼却炉から排出される排ガスの圧力を調節する第１ダンパと、送風機の下流側に設けられた第２ダンパと、第１ダンパ及び第２ダンパの開度を制御する制御装置とを備えたことにある。
【０００９】
【発明の実施の形態】
本発明が対象とするごみ焼却炉排ガス処理装置は、既存のごみ焼却装置における排ガス系統から排ガスを燃焼器に取り込み、燃焼器から排出された排ガスを上記排ガス系統の煙突の上流側に再び排気する設備であるため、焼却炉からの排ガス量の増減に合わせて処理量を連続的に増減し、且つごみ焼却炉の運転に支障を与えない工夫が必要となる。
【００１０】
ごみ焼却炉排ガス処理装置は、刻々と変化するごみ焼却炉の排ガス量に対し処理量を変えることができないが、刻々と変化する排ガス量に対して安定に追従して排ガスを処理し、ダイオキシン類を効率よく分解することが要求される。この要求を満たす本発明の実施例を以下に説明する。
【００１１】
本発明の好適な一実施例であるごみ焼却炉排ガス処理装置を、図１を用いて説明する。既設のごみ焼却装置は、焼却炉１，焼却炉１から排出される排ガスが排出される排ガスダクト１４、及び排ガスダクト１４が接続される煙突１２を備える。
【００１２】
本実施例のごみ焼却炉排ガス処理装置１５は、排ガス圧力制御ダンパ２，燃焼器４，高温煙道５，熱交換器６，排熱ボイラ７，排気ダンパ１０、及び制御装置１３を備える。排ガスダクト１４にバイパスダンパ１１を設置する。熱交換器６は、シェルの内部に伝熱管１６を有する。排ガス圧力制御ダンパ２を設置した排ガスダクト１８が、バイパスダンパ１１より上流側で排ガスダクト１４に接続され、更に、伝熱管１６に接続される。圧力計３が排ガスダクト１８に設置される。排ガスダクト１４は、伝熱管１６と燃焼器４とを接続する。高温煙道５が燃焼器４に取り付けられる。高温煙道５は熱交換器６のシェル側に連絡される。排熱ボイラ７も熱交換器６のシェル側に連絡される。吸引用の送風機８は、排ガスダクト２０によって排熱ボイラ７に連絡され、排ガスダクト２１によって、バイパスダンパ１１より下流側で排ガスダクト１４に接続される。圧力計９が排ガスダクト２０に設置される。排気ダンパ１０が排ガスダクト２１に設置される。
【００１３】
地方自治体が回収した一般ごみが焼却炉１内に投入されて焼却される。ごみの焼却によって焼却炉１から排出される排気ガスは、バイパスダンパ１１が閉鎖されているため、排ガスダクト１４から排ガスダクト１８に流入する。一般ごみには塩化ビニル等の塩素を含むプラスチックが含まれているため、発生する排ガスはダイオキシン類を含んでいる。排ガスは、排ガス圧力制御ダンパ２を経て熱交換器６の伝熱管１６内に達する。この排ガスは、伝熱管１６内で熱交換器６のシェル内の空間１７を流れる高温の排ガスによって加熱される。過熱されて伝熱管１６から排ガスダクト１９に排出された排ガスは、燃焼器４に供給される。
【００１４】
排ガスが供給される燃焼器４は、燃料が燃焼されているため、８００℃以上の高温になっている。供給される排ガスは、８００℃以上の高温で燃焼器４内で再燃焼される。排ガスに含まれているダイオキシン類は、８００℃以上の高温により熱分解される。燃焼器４から排出された排ガスは、高温煙道５で滞留される。このため、排ガス中に残留しているダイオキシン類の熱分解が一層進み、排ガス中のダイオキシン類の濃度が更に低下する。この排ガスは熱交換器６の空間１７内に流入する。この排ガスは、伝熱管１６内を流れる前述の排ガスを加熱する。空間１７内の排ガスは、排熱ボイラ７内に供給され、排熱ボイラ７内でダイオキシン類を再合成しない温度（約２５０℃以下）まで急冷される。２５０℃以下の温度に冷却された排ガスは、送風機８の駆動によって、排ガスダクト２０内に排出され、排ガスダクト２１，排ガスダクト１４のバイパスダンパ１１より下流側の部分、及び煙突１２を経て外部の環境に排出される。
【００１５】
ごみ焼却装置は、焼却炉１の単独運転を可能にするためにバイパスダンパ１１を設置した排ガスダクト１４を備えている。
【００１６】
圧力計３は排ガス圧力制御ダンパ２より上流側での排ガスダクト１８内の圧力、すなわち、焼却炉１から排出された排ガスの圧力を検出する。圧力計９は送風機８より上流側での排ガスダクト２０内の圧力、すなわち、排熱ボイラ７から排出された排ガスの圧力を検出する。制御装置１３は、圧力計３，９で検出された各圧力を入力して排ガス圧力制御ダンパ２及び排気ダンパ１０の開度を制御する。具体的には、制御装置１３は、図２に示す制御ロジックにより両ダンパの開度を調節する。
【００１７】
制御装置１３の機能を説明する前に、排ガス圧力制御ダンパ２及び排気ダンパ１０のそれぞれの機能を以下に説明する。
【００１８】
本実施例のごみ焼却炉排ガス処理装置１５は、（１）ごみ焼却炉からの排ガス量に対し安定的に追従して排ガス処理を行う、（２）ごみ焼却炉排ガス処理システムの信頼性と健全性を常に維持する、という機能を有する。即ち、ごみ焼却炉排ガス処理装置１５は、刻々と変化する焼却炉１からの排ガス量の増減を流量計にて監視することなく、排ガス圧力の増減としてとらえ、開度を変えることにより排ガス圧力を圧力設定値に制御する排ガス圧力制御ダンパ２、及び排ガス圧力制御ダンパ２の開度に応じて開度が調節する排気ダンパ１０を有する。
【００１９】
ごみ焼却炉排ガス処理装置１５の入口である排ガスダクト１８に設置された排ガス圧力制御ダンパ２は、焼却炉１からごみ焼却炉排ガス処理装置１５に導入される排ガスの圧力を圧力設定値に調節するために開度を制御される。ごみ焼却炉排ガス処理装置１５に導入される排ガスの圧力を、排ガス圧力制御ダンパ２によって圧力設定値に保持する目的は、ごみ焼却炉排ガス処理装置１５を設置する前におけるごみ焼却装置の排ガス圧力は煙突１２の手前において略一定であり、ごみ焼却炉排ガス処理装置１５の追設後においてもその略一定圧力を維持することにより、ごみ焼却炉１の運転への影響を極小にするためである。具体的には、焼却炉１から排出される排ガスの量が増加した場合には、ごみ焼却炉排ガス処理装置１５の入口である排ガスダクト１８における排ガス圧力が増加するため、この排ガス圧力を圧力設定値に制御すべく排ガス圧力制御ダンパ２の開度が増加される。一方、焼却炉１から排出される排ガスの量が減少した場合には、排ガスダクト１８での排ガス圧力が減少するため、排ガス圧力を上記圧力設定値に制御すべく排ガス圧力制御ダンパ２本ダンパの開度が減少される。ごみ焼却炉排ガス処理装置１５の運転中において、排ガス圧力制御ダンパ２は、焼却炉１で発生する排ガスの量の増減に対し、前述したように、ごみ焼却炉排ガス処理装置１５の入口での排ガス圧力を圧力設定値に保持するために開度が制御される。排ガス圧力制御ダンパ２の開度を監視することにより、流量計にて排ガス流量を直接監視することなく、焼却炉１からごみ焼却炉排ガス処理装置１５へ導入すべき排ガス量が把握可能となる。このため、排ガスによる著しい腐蝕のため信頼性が低い排ガス流量計が不要になる。
【００２０】
次に、排気ダンパ１０の機能について説明する。排気ダンパ１０は、ごみ焼却炉排ガス処理装置１５の出口である排ガスダクト２１に設置されており、ごみ焼却炉排ガス処理装置１５に導入される排ガス量に応じ開度が調節される。具体的には、焼却炉１から排出される排ガスの量が増加した場合には排気ダンパ１０の開度が増加され、排ガス量が減少した場合には排気ダンパ１０の開度が減少される。焼却炉１から排出される排ガス量の増減は、排ガス圧力制御ダンパ２の開度により把握する。即ち、排ガス圧力制御ダンパ２の開度が第１設定開度以上になった場合には排気ダンパ１０の開度が増加され、排ガス圧力制御ダンパ２の開度が第２設定開度以下となった場合には排気ダンパ１の開度が減少される。
【００２１】
排気ダンパ１０を排ガス圧力制御ダンパ２の開度により開閉させる理由は、ごみ焼却炉排ガス処理装置１５の入口部にて排ガス量の増減を検出し、ごみ焼却炉排ガス処理装置１５の出口部に設けた排気ダンパ１０により、ごみ焼却炉排ガス処理装置１５で処理する排ガス量を増減させるためである。更に、排ガス圧力制御ダンパ２の開度の増減と排気ダンパ１０の開度の増減を連続的にリンクさせない理由は、ごみ焼却炉排ガス処理装置１５の入口とその出口との間での排ガス圧力伝播の時間遅れによる排ガス圧力制御ダンパ２及び排気ダンパ１０のハンチングを未然に防ぐためである。また、排気ダンパ１０の開度を増加させる排ガス圧力制御ダンパ２の第１設定開度と、排気ダンパ１０の開度を減少させる排ガス圧力制御ダンパ２の第２設定開度を別々に設けている理由は、上記と同様に排ガス圧力制御ダンパ２及び排気ダンパ１０のハンチングを未然に防ぐためである。
【００２２】
一方、ごみ焼却炉排ガス処理装置１５の起動時等における送風機８入口での排ガス温度が低い場合には、図３に示すように、送風機８の特性上、揚程が高くなるため、送風機８の入口圧力が高負圧となる。従って、ごみ焼却炉排ガス処理装置１５の構成機器が高負圧下に曝されることを防止するため、排気ダンパ１０に対しては、上記した排ガス圧力制御ダンパ２の開度による開閉動作に加え、送風機８の入口圧力値としての開度増動作を停止させる第１閾値と、開度減動作をさせる第２閾値と、再び開度増動作を開始する第３閾値とを設ける。また、排気ダンパ１０の開度増動作を停止させる第１閾値と開度減動作をさせる第２閾値との間、及び開度増動作を停止させる第１閾値と再び開度増動作を開始させる第３閾値との間には、排気ダンパ１０のハンチングを防止させるため、余裕分を設ける。
【００２３】
排ガス圧力制御ダンパ２及び排気ダンパ１０が上記したそれぞれの機能有するので、ごみ焼却炉排ガス処理装置１５は上記した（１）及び（２）の機能を発揮する。
【００２４】
上記した排ガス圧力制御ダンパ２及び排気ダンパ１０のそれぞれの機能は、制御装置１３の制御によってより確実に発揮される。その制御装置１３の作用を以下に具体的に説明する。排ガス圧力制御ダンパ２より上流側の排ガスダクト１８内の排ガス圧力が圧力計３によって検出され、制御装置１３に入力される。制御装置１３は、圧力計３によって検出された排ガス圧力Ｐを入力して、▲１▼Ｐ＜Ｐ１，▲２▼Ｐ＝Ｐ１，▲３▼Ｐ＞Ｐ１のいずれであるかを判定する。Ｐ１はごみ焼却炉排ガス処理装置１５の入口部における排ガスの圧力に対する圧力設定値である。焼却炉１から排出される排ガスの量が減少した場合、すなわちＰ＜Ｐ１である場合には、圧力設定値Ｐ１を保持するために、制御装置１３は、排ガス圧力制御ダンパ２を回転させるモーター（図示せず。以下、第１モーターという）に対して開度減指令を出力する。第１モーターは、開度減指令によって排ガス圧力制御ダンパ２の開度を減じる方向に回転する。排ガス圧力制御ダンパ２の開度θが小さくなって、排ガス圧力Ｐが増加して圧力設定値Ｐ１に保持される。また、焼却炉１から排出される排ガスの量が増加した場合、すなわちＰ＞Ｐ１である場合には、圧力設定値Ｐ１を保持するために、制御装置１３は、第１モーターに対して開度増指令を出力する。第１モーターは、開度増指令によって排ガス圧力制御ダンパ２の開度を増加させる方向に回転する。排ガス圧力制御ダンパ２の開度θが大きくなって、排ガス圧力Ｐが減少して圧力設定値Ｐ１に保持される。検出された排ガス圧力Ｐが圧力設定値Ｐ１に等しい場合は、制御装置１３は、第１モーターに対して開度保持指令を出力する。この場合、第１モーターは回転せず、排ガス圧力制御ダンパ２の開度がそのまま保持される。以上述べたように、制御装置１３は、圧力計で計測された排ガス圧力Ｐを入力して、この排ガス圧力Ｐに応じて排ガス圧力制御ダンパ２の開度θを調節することによって、ごみ焼却炉排ガス処理装置１５の入口部における排ガスの圧力、すなわち、排ガス圧力制御ダンパ２より上流側の排ガスダクト１８内の排ガスの圧力が設定圧力Ｐ１に制御される。このように、ごみ焼却炉排ガス処理装置１５の運転中、具体的には内部で燃料が燃焼されている燃焼器４内に焼却炉１からの排ガスが供給されている状態で、排ガス圧力制御ダンパ２の開度が上記のように制御装置１３により制御されるため、焼却炉１から排出される排ガスの量が増減しても、排ガス圧力制御ダンパ２より上流側の排ガスダクト１８内の排ガスの圧力が設定圧力Ｐ１に制御される。
【００２５】
また、排気ダンパ１０の開度も、制御装置１３によって制御される。この排気ダンパ１０の開度制御について具体的に説明する。圧力計９が排熱ボイラ７から排出された排ガスダクト２０内の排ガスの圧力を検出する。検出された排ガス圧力ｐは、制御装置１３に入力される。制御装置１３は、入力された排ガス圧力ｐを用いて、▲１▼ｐ＞Ｐ２，▲２▼Ｐ２≧ｐ＞Ｐ３，▲３▼ｐ≦Ｐ３のいずれであるかを判定する。Ｐ２及びＰ３、更にＰ４は、圧力の閾値であり、図４に示す大小関係を有する。閾値Ｐ２は排気ダンパ１０の開度増動作を停止させる前述の第１閾値であり、閾値Ｐ３は閾値Ｐ２よりも圧力が低く排気ダンパ１０の開度減動作をさせる前述の第２閾値であり、閾値Ｐ４は閾値Ｐ２よりも圧力が高く排気ダンパ１０の開度開動作を再開させる前述の第３閾値である。閾値Ｐ４は閾値Ｐ２よりも０．２ｋＰａだけ圧力が高い値に設定されている。閾値Ｐ３は閾値Ｐ２よりも０．２
ｋＰａだけ圧力が低い値に設定されている。
【００２６】
ごみ焼却炉排ガス処理装置１５の起動時においては、送風機８の入口での排ガス温度が低いため、図３に示すように、送風機８の特性上、揚程が高くなる。この場合、送風機８の入口での圧力が高負圧となる。このため、ごみ焼却炉排ガス処理装置１５の構成機器が高負圧に曝され、場合によっては機器破損の可能性が懸念される。高負圧による構成機器の破損の危険性を避けるために、排ガス圧力ｐが閾値Ｐ２よりも大きい場合にのみ排気ダンパ１０の開動作を許容する（後述するように、排ガス圧力制御ダンパ２の開度θがある条件を満足する場合に）。閾値Ｐ２よりも圧力が高い領域は低負圧の領域であり、閾値Ｐ２よりも圧力が低い領域は高負圧の領域である。閾値Ｐ３の圧力においてもごみ焼却炉排ガス処理装置１５の構成機器の信頼性，健全性は十分維持される。
【００２７】
制御装置１３がｐ＞Ｐ２であると判定した場合における排気ダンパ１０の開度制御の詳細については後述する。制御装置１３は、入力した排ガス圧力ｐがＰ２≧ｐ＞Ｐ３を満足すると判定した場合には、排気ダンパ１０を回転させるモーター（図示せず。以下、第２モーターという）に対して開度保持指令を出力する。この場合、第２モーターは回転せず、排気ダンパ１０の開度はそのまま保持される。制御装置１３は、入力した排ガス圧力ｐがｐ≦Ｐ３を満足すると判定した場合には、第２モーターに対して開度減指令を出力する。第２モーターは、開度減指令によって排気ダンパ１０の開度を減じる方向に回転する。排気ダンパ１０の開度θが小さくなって、排ガス圧力ｐが増加する。制御装置１３は、排ガス圧力ｐがｐ≦Ｐ３を満足した場合には排ガス圧力ｐが閾値Ｐ４になるまで排気ダンパ１０の開度を減少させる。排ガス圧力ｐが閾値Ｐ４まで低下したとき、制御装置１３は、開度増指令を出力し、第２モーターを排気ダンパ１０の開度を増加させる方向に回転させる。その後、制御装置１３は、排ガス圧力ｐが閾値Ｐ２に達したときに第２モーターに対して開度増停止指令を出力し、第２モーターの回転を停止させる。このとき、排ガス圧力ｐは閾値Ｐ２近傍に保持される。
【００２８】
なお、閾値Ｐ３と閾値Ｐ２とは、及び閾値Ｐ２と閾値Ｐ４とは余裕分（それぞれ０．２ｋＰａ　）の圧力差があるため、制御装置１３により排気ダンパ１０の開度を調節する際における排気ダンパ１０のハンチングが防止できる。
【００２９】
制御装置１３は、入力した排ガス圧力ｐに基づいてｐ＞Ｐ２であると判定した場合には、入力した排ガス圧力制御ダンパ２の開度θが▲１▼θ≦θ１，▲２▼θ１＜θ＜θ２及び▲３▼θ≧θ２のいずれの条件を満足するかを判断する。θ２は前述の第１設定開度であり、θ１は前述の第２設定開度である。排ガス圧力制御ダンパ２の開度θは、排ガス圧力制御ダンパ２の回転軸に取り付けられたエンコーダ（図示せず）によって測定される。エンコーダによって測定された排ガス圧力制御ダンパ２の開度が制御装置１３に入力される。第１設定開度θ２は、図５に示すように、第２設定開度θ１よりも余裕角（例えば、１５％の開度）だけ開度が大きい。
【００３０】
以下に述べる制御装置１３の制御は、ｐ＞Ｐ２の条件が満たされていることを前提としている。制御装置１３は、排ガス圧力制御ダンパ２の開度θがθ≦θ１の条件を満たしている場合に、開度減指令を第２モーターに対して出力する。第２モーターは、開度減指令によって排気ダンパ１０の開度を減じる方向に回転する。このため、排気ダンパ１０の開度が減少する。また、制御装置１３は、排ガス圧力制御ダンパ２の開度θがθ１＜θ＜θ２の条件を満たしている場合に、開度保持指令を第２モーターに対して出力する。排気ダンパ１０の開度はそのまま保持される。更に、制御装置１３は、排ガス圧力制御ダンパ２の開度θがθ≧
θ２の条件を満たしている場合に、開度増指令を第２モーターに対して出力する。第２モーターは、開度増指令によって排気ダンパ１０の開度を増加させる方向に回転する。このため、排気ダンパ１０の開度が増加する。排気ダンパ１０の開度の増加によって、排ガス圧力ｐが閾値Ｐ２の圧力まで低下したとき、制御装置１３は第２モーターの回転を停止する。排気ダンパ１０の開度の増加が停止する。
【００３１】
第２設定開度θ１は排ガス圧力制御ダンパ２の下限設定開度であり、θ２は
θ１に余裕角分を付与した開度である。この余裕角範囲内において、排気ダンパ１０は現状開度を保持するため、排気ダンパ１０のハンチングが防止できる。
【００３２】
ごみ焼却炉排ガス処理装置１５の運転中、排気ダンパ１０は、排ガス圧力制御ダンパ２の開度θ及び圧力計９で検出された排ガス圧力ｐを入力した制御装置
１３により、上記のように開度が制御される。
【００３３】
本実施例は、排ガス圧力制御ダンパ２，排気ダンパ１０及び制御装置１３を設置しているので、焼却炉１から排出される排ガスの量が変化する場合でも、その変化に追従して排ガスを処理でき、しかもその排ガスに含まれているダイオキシン類の分解効率を向上することができる。
【００３４】
【発明の効果】
本発明によれば、焼却炉から排出される排ガスの量が変化する場合でも、その変化に追従して排ガスを処理でき、しかもその排ガスに含まれているダイオキシン類の分解効率を向上することができる。
【図面の簡単な説明】
【図１】本発明の好適な一実施例であるごみ焼却炉排ガス処理装置の構成図である。
【図２】図１の制御装置で実施される制御ロジックの説明図である。
【図３】図１に示す送風機の特性曲線を示す説明図である。
【図４】制御装置で用いられる閾値Ｐ２，Ｐ３，Ｐ４の関係を示す説明図である。
【図５】制御装置で用いられる設定開度θ１，θ２の関係を示す説明図である。
【符号の説明】
１…焼却炉、２…排ガス圧力制御ダンパ、３，９…圧力計、４…燃焼器、５…高温煙道、６…熱交換器、７…排熱ボイラ、８…送風機、１０…排気ダンパ、１３…制御装置。
【図１】
2004085107.tif 000003
【図２】
2004085107.tif 000004
【図３】
2004085107.tif 000005
【図４】
2004085107.tif 000006
【図５】
2004085107.tif 000007